(57)【要約】【課題】鏡として使用する場合に暗くなることがなく、通常の鏡よりも奇麗に見せることができる電子鏡装置にする。【解決手段】電子鏡装置は、人物を撮影して映像信号を出力するカメラ部と、映像信号を基に電子鏡としての制御を行う制御部と、撮影された映像を表示する表示部とを備えている。制御部は、表示部の画面を第１の領域と第２の領域とに分割し、第１の領域にカメラ部が撮影した映像を表示させ、第２の領域を人物に照明を当てるための光源として利用する。制御部は、その第２の領域の輝度を、カメラ部が撮影した人物の映像から推定した性別および年代に応じて調整している。【選択図】図１
2013242504.tif 000002
【特許請求の範囲】
【請求項１】
カメラ部と、
表示部と、
前記表示部の画面を分割して第１の領域には前記カメラ部が撮影した人物の映像を表示し、第２の領域には前記人物に照明を当てるための光源を表示し、かつ、前記人物の映像を分析することにより検出した性別および／または年代に応じて前記光源の輝度を調節する制御部と、
を備えた電子鏡装置。
【請求項２】
前記第２の領域は、前記第１の領域の左右、上下または上下左右に配置している請求項１記載の電子鏡装置。
【請求項３】
前記制御部は、前記カメラ部が撮影した映像から人物の画像を切り出して背景を削除する機能を有する請求項１記載の電子鏡装置。
【請求項４】
前記制御部は、前記カメラ部が撮影した映像を左右反転する機能を有する請求項１記載の電子鏡装置。
【請求項５】
前記制御部は、前記第２の領域の前記光源の発光色を変えて前記カメラ部によって撮影される映像の画質を調整する機能を有する請求項１記載の電子鏡装置。
【請求項６】
前記制御部は、前記表示部が有するランプの輝度を変えて前記カメラ部によって撮影される映像の画質を調整する機能を有する請求項１記載の電子鏡装置。
【請求項７】
前記制御部は、前記カメラ部が撮影した映像に対して画質を調整する機能を有する請求項１記載の電子鏡装置。
【請求項８】
前記制御部は、前記カメラ部が撮影した人物の映像を基に前記カメラ部から人物までの距離および顔の向きを検出し、前記距離が所定の距離未満であり、かつ、顔が前記カメラ部に対して正面を向いているときに、前記表示部の画面表示を行う機能を有している請求項１記載の電子鏡装置。
【請求項９】
前記表示部は、前記カメラ部および前記制御部を内蔵するテレビ受像機である請求項１記載の電子鏡装置。
【請求項１０】
コンピュータが、
カメラ部が撮影した人物の映像を分析して性別および／または年代を推定し、
表示部の画面を第１および第２の領域に分割して前記第１の領域に前記カメラ部が撮影した人物の映像を表示し、前記第２の領域に白色画像を表示し、
推定した前記性別および／または年代に応じて前記白色画像の輝度を調節する、
電子鏡表示方法。
【請求項１１】
コンピュータに、
カメラ部が撮影した人物の映像を分析して性別および／または年代を推定し、
表示部の画面を第１および第２の領域に分割して前記第１の領域に前記カメラ部が撮影した人物の映像を表示し、前記第２の領域に白色画像を表示し、
推定した前記性別および／または年代に応じて前記白色画像の輝度を調節し、
前記カメラ部が撮影した映像から人物の画像を切り出して背景を削除し、
前記カメラ部が撮影した映像を左右反転し、
前記カメラ部が撮影した映像に対して画質を調整し、
前記背景の削除、前記左右反転および前記画質の調整の設定を行う、
処理を実行させる電子鏡プログラム。
【発明の詳細な説明】
【技術分野】
【０００１】
本技術は、電子鏡装置、電子鏡表示方法および電子鏡プログラムに関する。詳しくは、テレビ受像機を使用していないときに自分の姿を映し出す鏡として利用することができる電子鏡装置、電子鏡表示方法および電子鏡プログラムに関する。
【背景技術】
【０００２】
フラットパネルディスプレイ装置を用いたテレビ受像機は、使用していないときには単に黒いボードの置物であり、それ以外にあまり利用価値がない。これに対し、ディスプレイ装置として使用していないときに、別の用途である鏡として利用可能にした多機能画像表示装置が知られている（たとえば、特許文献１）。この多機能画像表示装置は、液晶ディスプレイ装置とハーフミラーとを備え、普段は、ハーフミラーが鏡として機能し、人の接近を検出すると、液晶ディスプレイ装置が動画表示を行うというものである。
【先行技術文献】
【特許文献】
【０００３】
【特許文献１】特開２００６−１２６３７９号公報
【発明の概要】
【発明が解決しようとする課題】
【０００４】
しかしながら、ハーフミラーは、吸収率を０としても透過率と反射率との和が高くても１００％なので、多機能画像表示装置を液晶ディスプレイ装置または鏡として使用する場合に一方を明るく見せると他方は暗く見えてしまうという問題点があった。
【０００５】
本開示はこのような点に鑑みてなされたものであり、鏡として使用する場合にも暗くなることがなく、むしろ通常の鏡よりも奇麗に見せることができる電子鏡装置、電子鏡表示方法および電子鏡プログラムを提供することを目的とする。
【課題を解決するための手段】
【０００６】
本開示では、電子鏡装置は、カメラ部と、表示部と、前記表示部の画面を分割して第１の領域には前記カメラ部が撮影した人物の映像を表示し、第２の領域には前記人物に照明を当てるための光源を表示し、かつ、前記人物の映像を分析することにより検出した性別および／または年代に応じて前記光源の輝度を調節する制御部と、を備えている。
【０００７】
また、本開示の電子鏡表示方法は、コンピュータが、カメラ部が撮影した人物の映像を分析して性別および／または年代を推定し、表示部の画面を第１および第２の領域に分割して前記第１の領域に前記カメラ部が撮影した人物の映像を表示し、前記第２の領域に白色画像を表示し、推定した前記性別および／または年代に応じて前記白色画像の輝度を調節する。
【０００８】
さらに、本開示の電子鏡プログラムは、コンピュータに、カメラ部が撮影した人物の映像を分析して性別および／または年代を推定し、表示部の画面を第１および第２の領域に分割して前記第１の領域に前記カメラ部が撮影した人物の映像を表示し、前記第２の領域に白色画像を表示し、推定した前記性別および／または年代に応じて前記白色画像の輝度を調節し、前記カメラ部が撮影した映像から人物の画像を切り出して背景を削除し、前記カメラ部が撮影した映像を左右反転し、前記カメラ部が撮影した映像に対して画質を調整し、前記背景の削除、前記左右反転および前記画質の調整の設定を行う、処理を実行させる。
【発明の効果】
【０００９】
本開示によれば、表示部の画面を分割した第１の領域にカメラ部が撮影した人物の映像を表示し、第２の領域を照明のための光源として使用し、その光源の輝度を人物の映像を分析することにより検出した性別および／または年代に応じて調節している。これにより、テレビ受像機は、使用していないときに電子鏡装置として有効利用することができ、第２の領域を被写体の照明の光源に使用したことで、特別な照明器具を用意することなく、人物を奇麗に撮影して表示することができるという効果がある。
【図面の簡単な説明】
【００１０】
【図１】本技術の実施の形態に係る電子鏡装置の構成例を示す機能ブロック図である。
【図２】映像分析・加工部の構成例を示す機能ブロック図である。
【図３】電子鏡装置の適用例であるテレビ受像機を示す外観図である。
【図４】光源制御部の制御特性を示す図である。
【図５】設定部における設定例を示す図である。
【図６】本実施の形態に用いるテレビ受像機のハードウェア構成例を示す図である。
【図７】電子鏡プログラムの処理の流れを示すフローチャートである。
【図８】電子鏡装置の変形例を示す図である。
【発明を実施するための形態】
【００１１】
以下、本技術の実施の形態について、図面を参照して詳細に説明する。
【００１２】
図１は本技術の実施の形態に係る電子鏡装置の構成例を示す機能ブロック図、図２は映像分析・加工部の構成例を示す機能ブロック図、図３は電子鏡装置の適用例であるテレビ受像機を示す外観図である。
【００１３】
電子鏡装置１０は、図１に示したように、人物を撮影して映像信号を出力するカメラ部１１と、映像信号を基に電子鏡としての制御を行う制御部１２と、撮影された映像を表示する表示部１３とを備えている。ここで、好ましい例では、表示部１３は、図３に示したように、テレビ受像機１４のディスプレイパネルに相当し、カメラ部１１は、テレビ受像機１４の額縁部に人感センサとして設けられたものであり、制御部１２は、テレビ受像機１４の制御部の一部である。このテレビ受像機１４では、画面が中央に位置する第１の領域１５と、その第１の領域１５の左右に位置する第２の領域１６ａ，１６ｂとに分割されている。第１の領域１５には、カメラ部１１が撮影した画像が表示され、第２の領域１６ａ，１６ｂは、人物に照明を当てるための光源として利用する。テレビ受像機１４は、また、その額縁部に各種動作を表示するためのインジケータランプ１７が複数設けられており、このインジケータランプ１７も、人物に照明を当てるための光源の一部として利用される。
【００１４】
制御部１２は、図１に示したように、カメラ部１１からの映像信号を入力する映像分析・加工部２０を有し、映像分析・加工部２０の出力は、光源制御部２１および画面分割部２２に接続されている。光源制御部２１は、画面分割部２２に対し、バックライト制御のための信号を出力し、画面分割部２２は、表示部１３に対し、映像分析・加工部２０で加工された映像および光源制御部２１から指示された明るさの画像のない映像を出力する。光源制御部２１は、また、表示部１３に対し、表示部１３が備えるインジケータランプ１７に対する制御を行う信号をも出力する。
【００１５】
制御部１２は、また、設定部２３を備えている。この設定部２３は、画面分割部２２に対しては、たとえば、全画面に対する第１の領域１５および第２の領域１６ａ，１６ｂの位置や、第１の領域１５と第２の領域１６ａ，１６ｂとの分割比などを設定する。また、設定部２３は、映像分析・加工部２０に対し、第１の領域１５に人物をどのように表示させるかを設定する。たとえば、人物の背景が必要かどうかを設定することができ、また、他人が見てどのように見えるかを表示するリバーサルミラーとするか通常のミラーのように左右を反転した状態で表示するかを設定することができる。設定部２３は、さらに、第１の領域１５に映し出される人物の映像の画質をユーザの好みにするように設定することができる。この画質に関しては、映像分析・加工部２０は、カメラ部１１が撮影した画像の信号を加工したり、第２の領域１６ａ，１６ｂおよびインジケータランプ１７の発光色、輝度などを調整したりすることで、調整することができる。
【００１６】
映像分析・加工部２０は、図２に示すように、人感センサ部３０を有している。この人感センサ部３０は、距離測定部３１、明るさ測定部３２および性別・年代推定部３３を有している。距離測定部３１は、カメラ部１１からの映像信号に人物の顔の画像が含まれている場合に、カメラ部１１からユーザまでの距離を測定する。明るさ測定部３２は、テレビ受像機１４が設置されている環境の明るさを測定する。性別・年代推定部３３は、顔の画像から、たとえば目、鼻、口の相互の間隔や肌の表面状態などを認識してユーザの性別および年代を推定する。この人感センサ部３０による測定および推定の結果は、光源制御部２１に渡される。なお、この性別・年代推定部３３では、顔認識を行っているため、ユーザがカメラ部１１に対して正面を向いているかどうかを検出することができ、本実施の形態では、その検出結果を電子鏡装置１０の起動条件に加えている。
【００１７】
映像分析・加工部２０は、また、背景トリミング部３４、反転処理部３５および画質調整部３６を有している。背景トリミング部３４は、設定部２３によって設定された設定値に応じてカメラ部１１が撮影した映像から人物の画像を切り出して背景を削除する処理を行い、その処理結果は、画面分割部２２に渡される。反転処理部３５は、設定部２３によって設定された設定値に応じてカメラ部１１が撮影した映像を左右反転する処理を行い、その処理結果は、画面分割部２２に渡される。画質調整部３６は、設定部２３によって設定された設定値に応じてカメラ部１１が撮影した映像の画質を調整する。この画質の調整には、カメラ部１１が撮影した映像を直接加工する場合と、第２の領域１６ａ，１６ｂおよびインジケータランプ１７を含む光源側の発光色、輝度などを変更する場合とがある。画質調整部３６の処理結果は、光源制御部２１および画面分割部２２に渡される。
【００１８】
図４は光源制御部の制御特性を示す図である。この図４に示される制御特性において、横軸は年代の変化を表し、縦軸は光源制御部２１が第２の領域１６ａ，１６ｂに対して制御しようとする輝度の変化を表している。
【００１９】
電子鏡装置１０は、基本的には、カメラ部１１が撮影した映像をそのまま表示部１３の第１の領域１５に表示し、第２の領域１６ａ，１６ｂの輝度をユーザの性別・年代に応じて調整することで美しく見せようとするものである。そのため、光源制御部２１は、性別・年代推定部３３が推定した性別および年代に応じて第２の領域１６ａ，１６ｂの輝度を変えるよう画面分割部２２にバックライト制御信号として送られる。図４の例では、若い年代であれば、あまり性別に関係なく、第２の領域１６ａ，１６ｂの輝度は、低く設定される。年代が高くなればなるほど、男性および女性とも輝度が高くなるよう変化させるが、女性の方が男性よりも輝度が高く設定され、また、年代の低いときが高いときよりも輝度の変化率を高くしてある。なお、この第２の領域１６ａ，１６ｂの輝度は、この図４の特性に従って調整されるが、さらに、距離測定部３１および明るさ測定部３２の測定結果に応じても微調整される。
【００２０】
図５は設定部における設定例を示す図である。
【００２１】
電子鏡装置１０は、カメラ部１１が撮影した映像をそのまま表示部１３の第１の領域１５に表示するが、そのときの見え方に関して、ユーザの好みを設定部２３によってあらかじめ設定しておくことができる。本実施の形態では、設定部２３で設定できるオプションとして、背景削除、左右反転、照明色、美肌補正、美白補正、および、アンチエイジングを設定することができる。
【００２２】
背景削除は、背景をなくして人物画のみを表示したいときに設定され、ここで「オン」に設定されていれば、背景トリミング部３４で背景を削除する処理が行われる。左右反転は、鏡のように表示させたとときに設定され、ここで「オン」に設定されていれば、反転処理部３５で画像を左右反転する処理が行われる。照明色は、肌色を暖色系にしたいときに設定され、ここで、「オレンジ」または「ピンク」に設定されていれば、第２の領域１６ａ，１６ｂが「オレンジ」または「ピンク」になるよう画質調整部３６で発光色の調整が行われる。または、画質調整部３６は、第２の領域１６ａ，１６ｂの発光色を白色のままとし、インジケータランプ１７の輝度を調整してインジケータランプ１７の持つ発光色で照明色の調整をすることができる。美肌補正は、肌にはりや潤いを持つように表示したいときに設定され、ここで、「くっきり」または「明るく」に設定されていれば、映像信号に対し「くっきり」または「明るく」見えるよう画質調整部３６で画像処理される。美白補正は、しみ、そばかす、日焼けなどを目立たなくしたいときに設定され、ここで、「オン」に設定されていれば、しみなどを目立たなくするよう画質調整部３６で画像処理される。アンチエイジングは、実年齢よりも若く見えるよう表示したいときに設定され、ここで、「オン」に設定されていれば、たとえば皺を目立たなくするなどの画像処理が画質調整部３６で行われる。
【００２３】
図６は本実施の形態に用いるテレビ受像機のハードウェア構成例を示す図である。
【００２４】
テレビ受像機１４は、チューナ部４１と、カメラ４２と、中央演算装置４３と、メインメモリ４４と、フラッシュメモリ４５と、映像処理部４６とを有し、バス装置４７によって相互に接続されている。映像処理部４６およびバス装置４７は、図示しない表示装置に接続されている。
【００２５】
チューナ部４１は、テレビ放送を受信するためのユニットである。カメラ４２は、上記のカメラ部１１に相当する撮像素子である。中央演算装置４３、メインメモリ４４、フラッシュメモリ４５、映像処理部４６、および、バス装置４７は、コンピュータと同じ構成である。すなわち、中央演算装置４３は、テレビ受像機１４の装置全体を制御する。メインメモリ４４には、中央演算装置４３に実行させるＯＳ（Operating System）のプログラムやアプリケーションプログラムの少なくとも一部が一時的に格納される。また、メインメモリ４４には、中央演算装置４３による処理に必要な各種データなどが格納される。フラッシュメモリ４５には、ＯＳや電子鏡プログラムを含む各種アプリケーションプログラムと、各種設定情報とが格納されている。映像処理部４６には、表示装置が接続され、中央演算装置４３からの命令に従って、映像処理した映像信号を表示装置に送って画面に表示させる。
【００２６】
以上のようなハードウェア構成によって、本実施の形態の処理機能を実現することができる。次に、フラッシュメモリ４５に格納されている電子鏡プログラムの処理について説明する。
【００２７】
図７は電子鏡プログラムの処理の流れを示すフローチャートである。
【００２８】
中央演算装置４３は、カメラ４２による監視において、所定距離の範囲内に人物を感知したか否かを判断する（ステップＳ１）。ここで、人物を感知したとき、中央演算装置４３は、顔を認識したか否かを判断する（ステップＳ２）。顔を認識するとき、好ましくは、顔の向きも判断される。ここで、顔を認識し、顔がカメラ４２に対して正面を向いている場合、中央演算装置４３は、表示装置をスタンバイ状態にし（ステップＳ３）、各種設定情報が読込まれる（ステップＳ４）。
【００２９】
次に、中央演算装置４３は、設定情報に背景削除の設定があるか否かを判断し（ステップＳ５）、背景削除の設定があれば、背景を削除するトリミング処理が行われ（ステップＳ６）、背景削除の設定がなければ、ステップＳ６の処理をパスする。
【００３０】
次に、中央演算装置４３は、設定情報に左右反転の設定があるか否かを判断し（ステップＳ７）、左右反転の設定があれば、映像の左右を反転する処理が行われ（ステップＳ８）、左右反転の設定がなければ、ステップＳ８の処理をパスする。
【００３１】
次に、中央演算装置４３は、設定情報に、照明色、美肌補正、美白補正、アンチエイジングに関する画質補正の設定があるか否かを判断する（ステップＳ９）。画質補正の設定があれば、中央演算装置４３は、画質を補正する処理を行い（ステップＳ１０）、画質補正の設定がなければ、ステップＳ１０の処理をパスする。
【００３２】
次に、中央演算装置４３は、カメラ４２による映像信号から人物の性別および年代を推定し（ステップＳ１１）、性別および年代に応じたバックライト制御を行う（ステップＳ１２）。次に、中央演算装置４３は、表示装置にカメラ４２による映像とバックライト制御された照明用の画像のない映像とを画面分割して表示する（ステップＳ１３）。
【００３３】
次に、中央演算装置４３は、カメラ４２が所定距離の範囲内に人物を感知しているか否かを判断し（ステップＳ１４）、人物を感知している限り、画面の分割表示を続ける。カメラ４２が所定距離の範囲内に人物を感知しなくなると、中央演算装置４３は、表示装置をオフ状態にし（ステップＳ１５）、ステップＳ１に戻る。
【００３４】
図８は電子鏡装置の変形例を示す図である。
【００３５】
この図８に示す電子鏡装置５０は、汎用的なテレビ受像機５１と、汎用的なビデオカメラ５２と、電子鏡制御装置５３とを備えている。ビデオカメラ５２は、たとえばウェブカメラのようなカメラを用いることができ、テレビ受像機５１に取り付けて使用される。電子鏡制御装置５３は、たとえば図１に示す制御部１２の機能を備えているが、光源制御部２１によるランプ制御は備えていない。ビデオカメラ５２の映像出力は、電子鏡制御装置５３に入力され、電子鏡制御装置５３の映像出力は、テレビ受像機５１の外部映像入力に接続される。
【００３６】
この電子鏡装置５０の電子鏡制御装置５３は、図３に示すような、テレビ受像機１４に一体に組み込まれて構成される電子鏡装置１０に比較して、インジケータランプ１７のランプ制御ができないという制約がある。また、ビデオカメラ５２の映像を分析し、人物を検知したか否かでテレビ受像機５１を制御することもできない。しかし、テレビ受像機５１およびビデオカメラ５２を既に所有している場合には、テレビ受像機５１およびビデオカメラ５２に電子鏡制御装置５３を接続するだけで、手軽に電子鏡装置５０を構成することができる。
【００３７】
この電子鏡装置５０では、表示装置として汎用的なテレビ受像機５１を使用したが、ビデオカメラ５２によって撮影された映像を映し出すことができればよいので、当然ながら、テレビ受像機５１に代えてビデオモニタ装置でもよい。
【００３８】
なお、上記の実施の形態では、表示部１３の画面に関して、第１の領域１５の左右に第２の領域１６ａ，１６ｂを配置するように画面を分割している。しかし、この照明の領域とする第２の領域１６ａ，１６ｂは、第１の領域１５の左右に配置するだけでなく、第１の領域１５の上下に配置してもよく、または、第１の領域１５を取り囲むように第１の領域１５の上下左右に配置してもよい。
【００３９】
また、上記の実施の形態では、内蔵または外付けのカメラ機能を備えたテレビ受像機１４，５１を用いているが、カメラ機能を内蔵したタブレットに上記の電子鏡プログラムをインストールすることで電子鏡装置を実現することができる。
【符号の説明】
【００４０】
１０……電子鏡装置、１１……カメラ部、１２……制御部、１３……表示部、１４……テレビ受像機、１５……第１の領域、１６ａ，１６ｂ……第２の領域、１７……インジケータランプ、２０……映像分析・加工部、２１……光源制御部、２２……画面分割部、２３……設定部、３０……人感センサ部、３１……距離測定部、３２……明るさ測定部、３３……性別・年代推定部、３４……背景トリミング部、３５……反転処理部、３６……画質調整部、４１……チューナ部、４２……カメラ、４３……中央演算装置、４４……メインメモリ、４５……フラッシュメモリ、４６……映像処理部、４７……バス装置、５０……電子鏡装置、５１……テレビ受像機、５２……ビデオカメラ、５３……電子鏡制御装置
【図１】
2013242504.tif 000003
【図２】
2013242504.tif 000004
【図３】
2013242504.tif 000005
【図４】
2013242504.tif 000006
【図５】
2013242504.tif 000007
【図６】
2013242504.tif 000008
【図７】
2013242504.tif 000009
【図８】
2013242504.tif 000010